(57)【要約】      （修正有）【課題】ホワイトボードの仕様を選ばずに種々の仕様のホワイトボードと組み合うプロジェクタースタンドを提供する。【解決手段】プロジェクタースタンド１００は、ベース部１１０と、脚部１２０と、支柱部１３０と、プロジェクター支持部１４０と、接触式位置決め部１５０とを備えている。接触式位置決め部１５０は、プロジェクターＰＪの投影方向前方でプロジェクタースタンド１００と別体であるホワイトボードＷＢと接触して相対的に位置決めし、接触式位置決め部１５０が、ホワイトボードＷＢと係合自在に設けられている。【選択図】図２
0003207904.tif 000002
【実用新案登録請求の範囲】
【請求項１】
設置面に設置されてプロジェクターを支持するプロジェクタースタンドにおいて、
前記プロジェクターの投影方向前方でプロジェクタースタンドと別体であるホワイトボードと接触して相対的に位置決めする接触式位置決め部を備え、
前記接触式位置決め部が、前記ホワイトボードと係合自在に設けられていることを特徴とするプロジェクタースタンド。
【請求項２】
前記設置面と接する脚部と、
前記脚部から鉛直方向上方へ延設された支柱部と、
前記接触式位置決め部より上方で支柱部と連結してプロジェクターを支持するプロジェクター支持部とをさらに備え、
前記接触式位置決め部が、前記ホワイトボードの上縁の一部を覆う構造を有するとともに支柱部に対して摺動自在に配設され、前記ホワイトボードの上縁の前面に対して支柱部を基準とした左右両側で接触する接触部分と、前記ホワイトボードの上縁の後面に対して支柱部を基準とした左右両側で螺合機構により押圧する螺合押圧部分とを有していることを特徴とする請求項１に記載のプロジェクタースタンド。
【考案の詳細な説明】
【技術分野】
【０００１】
本考案は、設置面に設置されてプロジェクターを支持するプロジェクタースタンドに関する。
【背景技術】
【０００２】
従来、プロジェクタースタンドとして、映写機としてのプロジェクターと、プロジェクターを保持する映写機保持ユニットと、スクリーンとしてのボードと、ボードを保持するスクリーン保持ユニットと、映写機保持ユニットおよびスクリーン保持ユニットとを支える起立スタンドとによって構成されている映写機対応型スクリーンが知られている（例えば、特許文献１）。
【先行技術文献】
【特許文献】
【０００３】
【特許文献１】特開２０１５−１０８６５０号公報
【考案の概要】
【考案が解決しようとする課題】
【０００４】
しかしながら、上述した従来の映写機対応型スクリーンは、起立スタンドが映写機保持ユニットおよびスクリーン保持ユニットを一体に保持する構造であったため、ボードのみを容易に着脱することが困難であり、専用のボードのみを使用する他なく、他の仕様のボードに対応することが困難であるという問題があった。
【０００５】
そこで、本考案は、前述したような従来技術の問題を解決するものであって、すなわち、本考案の目的は、ホワイトボードの仕様を選ばずに種々の仕様のホワイトボードと組み合うプロジェクタースタンドを提供することである。
【課題を解決するための手段】
【０００６】
本請求項１に係る考案は、設置面に設置されてプロジェクターを支持するプロジェクタースタンドにおいて、前記プロジェクターの投影方向前方でプロジェクタースタンドと別体であるホワイトボードと接触して相対的に位置決めする接触式位置決め部を備え、前記接触式位置決め部が、前記ホワイトボードと係合自在に設けられていることにより、前述した課題を解決するものである。
【０００７】
本請求項２に係る考案は、請求項１に記載されたプロジェクタースタンドの構成に加えて、前記設置面と接する脚部と、前記脚部から鉛直方向上方へ延設された支柱部と、前記接触式位置決め部より上方で支柱部と連結してプロジェクターを支持するプロジェクター支持部とをさらに備え、前記接触式位置決め部が、前記ホワイトボードの上縁の一部を覆う構造を有するとともに支柱部に対して摺動自在に配設され、前記ホワイトボードの上縁の前面に対して支柱部を基準とした左右両側で接触する接触部分と、前記ホワイトボードの上縁の後面に対して支柱部を基準とした左右両側で螺合機構により押圧する螺合押圧部分とを有していることにより、前述した課題をさらに解決するものである。
【考案の効果】
【０００８】
本考案のプロジェクタースタンドは、設置面に設置されることにより、プロジェクターを支持することができるばかりでなく、以下のような特有の効果を奏することができる。
【０００９】
本請求項１に係る考案のプロジェクタースタンドによれば、プロジェクタースタンドと別体のホワイトボードとが接触式位置決め部で接触してプロジェクタースタンドとホワイトボードとの相対的な位置関係が決まるため、ホワイトボードの仕様を選ばずに種々の仕様のホワイトボードをプロジェクタースタンドと組み合わせてホワイトボードに投影することができる。
また、プロジェクタースタンドを設置した後にホワイトボードをプロジェクタースタンドと係合させて設置すればよく、一度に移動させる重量が抑えられるため、従来の一体の構造と比べて容易に設置することができる。
さらに、使用しないときは、ホワイトボードとプロジェクタースタンドとの係合を解除してそれぞれ別々に収納自在となるため、小スペースで収納することができる。
【００１０】
本請求項２に係る考案のプロジェクタースタンドによれば、請求項１に係る考案が奏する効果に加えて、ホワイトボードの上縁には通常、下縁に設置されたペン置きがないため、容易にホワイトボードの前面と接触して相対的な位置関係を決めることができる。
さらに、上縁と接触することにより下縁と接触する構成と比べてプロジェクター支持部から接触式位置決め部までの経路が短くなるため、部材のゆがみの影響を殆ど排除してホワイトボードに殆どゆがみのない映像を映すことができる。
また、支柱部の左右両側で上縁の前面と接触するため、プロジェクターに対して左右の傾きなくホワイトボードを位置決めすることができる。
さらに、螺合押圧部分を締めるだけで螺合押圧部分がホワイトボード側へ移動するため、ホワイトボードを接触部分へ容易に押しつけることができる。
同様に、螺合押圧部分を緩めるだけで螺合押圧部分がホワイトボードから離れる方向へ移動するため、接触式位置決め部とホワイトボードとの係合を容易に解除することができる。
また、接触式位置決め部がホワイトボードの上縁と係合している状態で、接触式位置決め部が自重によって勝手に支柱部に対して摺動しようとした場合であっても、接触式位置決め部をホワイトボードの上縁に対してより接近させるように自重が作用するため、接触式位置決め部とホワイトボードの上縁との係合が勝手に解除されることを回避できる。
【図面の簡単な説明】
【００１１】
【図１】本考案の実施例であるプロジェクタースタンドを示す斜視図。
【図２】本考案の実施例であるプロジェクタースタンドにホワイトボードを係合させた状態の斜視図。
【図３】図２に示す符号３から視た正面図。
【図４】図２に示す符号４から視た側面図。
【図５】図２に示す符号５から視た背面図。
【考案を実施するための形態】
【００１２】
本考案のプロジェクタースタンドは、プロジェクターの投影方向前方でプロジェクタースタンドと別体であるホワイトボードと接触して相対的に位置決めする接触式位置決め部を備え、接触式位置決め部が、ホワイトボードと係合自在に設けられていることにより、ホワイトボードの仕様を選ばずに種々の仕様のホワイトボードをプロジェクタースタンドと組み合わせてホワイトボードに投影し、従来の一体の構造と比べて容易に設置し、さらに、使用しないときは、小スペースで収納するものであれば、その具体的な実施態様は、如何なるものであっても構わない。
【００１３】
例えば、接触式位置決め部は、ホワイトボードと係合して相対的な位置関係を決めるものであれば如何なるものであっても構わない。
つまり、接触式位置決め部がホワイトボードのどの箇所と係合してもよい。
【実施例】
【００１４】
以下に、本考案の実施例であるプロジェクタースタンド１００について、図１乃至図５に基づいて説明する。
ここで、図１は、本考案の実施例であるプロジェクタースタンド１００を示す斜視図であり、図２は、本考案の実施例であるプロジェクタースタンド１００にホワイトボードＷＢを係合させた状態の斜視図であり、図３は、図２に示す符号３から視た正面図であり、図４は、図２に示す符号４から視た側面図であり、図５は、図２に示す符号５から視た背面図である。
【００１５】
本考案の実施例であるプロジェクタースタンド１００は、図１乃至図５に示すように、設置面ＦＬに設置されてプロジェクターＰＪを支持するように構成されている。
具体的に、プロジェクタースタンド１００は、ベース部１１０と、脚部１２０と、支柱部１３０と、プロジェクター支持部１４０と、接触式位置決め部１５０とを備えている。
このうち、ベース部１１０は、下方に配設されて、土台の役割を果たすように構成されている。
また、脚部１２０は、ベース部１１０と一体に設けられ、設置面ＦＬと接するように構成されている。
【００１６】
具体的に、脚部１２０は、複数のキャスター１２１と、ホワイトボードＷＢを基準としてキャスター１２１より前方（プロジェクターＰＪの投影方向では後方）に延設された前方サポート１２２とを有している。
キャスター１２１は、プロジェクタースタンド１００を支えるとともに、プロジェクタースタンド１００の移動を容易にする。
また、前方サポート１２２は、プロジェクターＰＪと支柱部１３０との間の距離が長い場合であっても安定して支えることができるように補助する。
【００１７】
支柱部１３０は、ベース部１１０および脚部１２０から鉛直方向上方へ延設されている。
具体的に、支柱部１３０は、略四角形の筒状の第１支柱部分１３１と、略四角柱状の第２支柱部分１３２と、支柱固定用ネジ１３３とを有している。
第１支柱部分１３１の下端は、ベース部１１０および脚部１２０と連結され、第２支柱部分１３２は、第１支柱部分１３１より若干細く、第２支柱部分１３２の下端側が、第１支柱部分１３１の内部に摺動自在に収納されている。
【００１８】
支柱固定用ネジ１３３は、つまみ部分とネジ部分とを有し、第１支柱部分１３１の上端近傍に螺合され、支柱固定用ネジ１３３を締めるとネジ部分先端が第２支柱部分１３２を押圧して、第２支柱部分１３２が第１支柱部分１３１に対して固定される。
他方、支柱固定用ネジ１３３を緩めるとネジ部分先端が第２支柱部分１３２から離間して、第２支柱部分１３２が第１支柱部分１３１に対して摺動自在となる。
つまり、支柱部１３０の高さを調整することができる。
【００１９】
プロジェクター支持部１４０は、接触式位置決め部１５０より上方で支柱部１３０と連結してプロジェクターＰＪを支持するように構成されている。
具体的に、プロジェクター支持部１４０は、略四角柱状のバー部分１４１と、バー支柱係合部分１４２と、支持部固定用ネジ１４３と、バー係合部分１４４と、天吊り固定用ネジ１４５とを有している。
このうち、バー部分１４１は、バー支柱係合部分１４２を介して支柱部１３０と摺動自在に連結され、支柱部１３０からホワイトボードＷＢを基準として前方（プロジェクターＰＪの投影方向では後方）に延設されている。
【００２０】
また、バー支柱係合部分１４２は、略四角形の筒状に形成されるとともに、バー部分１４１と一体に設けられている。
そして、バー支柱係合部分１４２の略四角形の筒状の内部に支柱部１３０が挿通され、バー支柱係合部分１４２は、支柱部１３０に対して摺動自在に構成されている。
【００２１】
支持部固定用ネジ１４３は、つまみ部分とネジ部分とを有し、バー支柱係合部分１４２に螺合され、支持部固定用ネジ１４３を締めるとネジ部分先端が支柱部１３０を押圧して、プロジェクター支持部１４０が支柱部１３０に対して固定される。
他方、支持部固定用ネジ１４３を緩めるとネジ部分先端が支柱部１３０から離間して、プロジェクター支持部１４０が支柱部１３０に対して摺動自在となる。
つまり、支柱部１３０に対するプロジェクター支持部１４０の位置を調整することができる。
【００２２】
また、バー係合部分１４４は、略四角形の筒状に形成されている。
そして、バー係合部分１４４の略四角形の筒状の内部にバー部分１４１が挿通され、バー係合部分１４４は、バー部分１４１に対して摺動自在に構成されている。
天吊り固定用ネジ１４５は、つまみ部分とネジ部分とを有し、バー係合部分１４４に螺合され、天吊り固定用ネジ１４５を締めるとネジ部分先端がバー部分１４１を押圧して、バー係合部分１４４がバー部分１４１に対して固定される。
【００２３】
他方、天吊り固定用ネジ１４５を緩めるとネジ部分先端がバー部分１４１から離間して、バー係合部分１４４は、バー部分１４１に対して摺動自在となる。
ここで、プロジェクターＰＪの上面には、アタッチメントプレートＡＰが取り付けられ、このアタッチメントプレートＡＰに天吊り金具ＨＧがネジ留めされている。
バー係合部分１４４には、天吊り金具ＨＧがネジ留めされ、プロジェクターＰＪがバー係合部分１４４と一体に摺動自在に配設されている。
【００２４】
接触式位置決め部１５０は、プロジェクターＰＪの投影方向前方でプロジェクタースタンド１００と別体であるホワイトボードＷＢと接触して相対的に位置決めするように構成されている。
これにより、プロジェクタースタンド１００と別体のホワイトボードＷＢとが接触式位置決め部１５０で接触してプロジェクタースタンド１００とホワイトボードＷＢとの相対的な位置関係が決まる。
さらに、プロジェクタースタンド１００を設置した後にホワイトボードＷＢをプロジェクタースタンド１００と係合させて設置すればよく、一度に移動させる重量が抑えられる。
また、使用しないときは、ホワイトボードＷＢとプロジェクタースタンド１００との係合を解除してそれぞれ別々に収納自在となる。
【００２５】
具体的に、接触式位置決め部１５０は、側視逆Ｕ字のような形状１５１でホワイトボードＷＢの上縁の一部を覆う構造を有し、ホワイトボードＷＢの上縁の前面と接触する接触部分１５２と、ホワイトボードＷＢの上縁の後面を押圧する螺合押圧部分としての押圧ネジ１５３と、支柱部１３０に対して摺動自在に係合する支柱係合部分１５４と、支柱部１３０に対する接触式位置決め部１５０の位置決めをする位置決め部固定用ネジ１５５とを有している。
より具体的に、接触部分１５２は、ホワイトボードＷＢの上縁の前面に対して支柱部１３０を基準とした左右両側で接触するように構成され、側視逆Ｕ字のような形状１５１の内側におけるホワイトボードＷＢを基準とした前側（プロジェクターＰＪの投影方向では後側）となる接触部分１５２には、ホワイトボードＷＢの前面を傷つけないようにゴムパッドが配設されている。
【００２６】
また、押圧ネジ１５３は、つまみ部分とネジ部分とを有し、支柱部１３０を基準とした左右両側に２つ設けられ、螺合機構として側視逆Ｕ字のような形状１５１におけるプロジェクターＰＪの投影方向前側に螺合され、押圧ネジ１５３を締めるとネジ部分先端がホワイトボードＷＢの上縁の後面を押圧し、ホワイトボードＷＢの上縁は、接触式位置決め部１５０によって挟持された状態となる。
他方、押圧ネジ１５３を緩めるとネジ部分先端がホワイトボードＷＢの上縁の後面から離間する。
【００２７】
また、支柱係合部分１５４は、略四角形の筒状に形成されるとともに、側視逆Ｕ字のような形状１５１と一体に設けられている。
そして、支柱係合部分１５４の略四角形の筒状の内部に支柱部１３０が挿通され、支柱係合部分１５４は、支柱部１３０に対して摺動自在に構成されている。
位置決め部固定用ネジ１５５は、つまみ部分とネジ部分とを有し、支柱係合部分１５４に螺合され、位置決め部固定用ネジ１５５を締めるとネジ部分先端が支柱部１３０を押圧して、接触式位置決め部１５０が支柱部１３０に対して固定される。
【００２８】
他方、位置決め部固定用ネジ１５５を緩めるとネジ部分先端が支柱部１３０から離間して、接触式位置決め部１５０が支柱部１３０に対して摺動自在となる。
つまり、支柱部１３０に対する接触式位置決め部１５０の位置を調整することができ、合わせて押圧ネジ１５３を締めたり緩めたりすると、ホワイトボードＷＢと係合させたり、ホワイトボードＷＢとの係合を解除したりできる。
【００２９】
これにより、ホワイトボードＷＢの上縁と接触することにより下縁と接触する構成と比べてプロジェクター支持部１４０から接触式位置決め部１５０までの経路が短くなる。
さらに、支柱部１３０の左右両側で上縁の前面と接触してプロジェクターＰＪに対するホワイトボードＷＢの向きが精度良く決まる。
また、接触式位置決め部１５０がホワイトボードＷＢの上縁と係合している状態で、接触式位置決め部１５０が自重によって勝手に支柱部１３０に対して摺動しようとした場合であっても、接触式位置決め部１５０をホワイトボードＷＢの上縁に対してより接近させるように自重が作用する。
つまり、万が一、位置決め部固定用ネジ１５５が緩んでしまった場合であっても、接触式位置決め部１５０の位置は変化せず、接触式位置決め部１５０はホワイトボードＷＢと接触して相対的な位置決めが保持される。
【００３０】
このようにして得られた本考案の実施例であるプロジェクタースタンド１００は、プロジェクターＰＪの投影方向前方でプロジェクタースタンド１００と別体であるホワイトボードＷＢと接触して相対的に位置決めする接触式位置決め部１５０を備え、接触式位置決め部１５０が、ホワイトボードＷＢと係合自在に設けられていることにより、ホワイトボードＷＢの仕様を選ばずに種々の仕様のホワイトボードＷＢをプロジェクタースタンド１００と組み合わせてホワイトボードＷＢに投影することができ、従来の一体の構造と比べて容易に設置することができ、さらに、使用しないときは、小スペースで収納することができる。
【００３１】
さらに、設置面ＦＬと接する脚部１２０と、脚部１２０から鉛直方向上方へ延設された支柱部１３０と、接触式位置決め部１５０より上方で支柱部１３０と連結してプロジェクターＰＪを支持するプロジェクター支持部１４０とをさらに備え、接触式位置決め部１５０が、ホワイトボードＷＢの上縁の一部を覆う構造である側視逆Ｕ字のような形状１５１を有するとともに支柱部１３０に対して摺動自在に配設され、ホワイトボードＷＢの上縁の前面に対して支柱部１３０を基準とした左右両側で接触する接触部分１５２と、ホワイトボードＷＢの上縁の後面に対して支柱部１３０を基準とした左右両側で螺合機構により押圧する螺合押圧部分として押圧ネジ１５３とを有していることにより、容易にホワイトボードＷＢの前面と接触して相対的な位置関係を決めることができ、部材のゆがみの影響を殆ど排除してホワイトボードＷＢに殆どゆがみのない映像を映すことができ、プロジェクターＰＪに対して左右の傾きなくホワイトボードＷＢを位置決めすることができ、さらに、ホワイトボードＷＢを接触部分１５２へ容易に押しつけることができ、接触式位置決め部１５０とホワイトボードＷＢとの係合を容易に解除することができ、勝手に接触式位置決め部１５０とホワイトボードＷＢの上縁との係合が解除されることを回避できるなど、その効果は甚大である。
【符号の説明】
【００３２】
１００  ・・・  プロジェクタースタンド
１１０  ・・・  ベース部
１２０  ・・・  脚部
１２１  ・・・  キャスター
１２２  ・・・  前方サポート
１３０  ・・・  支柱部
１３１  ・・・  第１支柱部分
１３２  ・・・  第２支柱部分
１３３  ・・・  支柱固定用ネジ
１４０  ・・・  プロジェクター支持部
１４１  ・・・  バー部分
１４２  ・・・  バー支柱係合部分
１４３  ・・・  支持部固定用ネジ
１４４  ・・・  バー係合部分
１４５  ・・・  天吊り固定用ネジ
１５０  ・・・  接触式位置決め部
１５１  ・・・  側視逆Ｕ字のような形状（ホワイトボードの上縁の一部を覆う構造）
１５２  ・・・  接触部分
１５３  ・・・  押圧ネジ（螺合押圧部分）
１５４  ・・・  支柱係合部分
１５５  ・・・  位置決め部固定用ネジ
ＰＪ    ・・・  プロジェクター
ＡＰ    ・・・  アタッチメントプレート
ＨＧ    ・・・  天吊り金具
ＷＢ    ・・・  ホワイトボード
ＦＬ    ・・・  設置面
【図１】
0003207904.tif 000003
【図２】
0003207904.tif 000004
【図３】
0003207904.tif 000005
【図４】
0003207904.tif 000006
【図５】
0003207904.tif 000007